(57)【要約】【課題】端末装置の消費電力を削減する。【解決手段】制御装置７０においてネットワークＩＦ７１は、マクロセルＣ３０及び小セルＣ５０の両方に在圏する端末１０の位置情報と、マクロセルＣ３０に在圏する端末２０の位置情報とを取得する。そして、制御部７２は、端末１０の位置情報と、端末２０の位置情報とに基づいて、小セルＣ５０に対応するエリアを含む周辺エリアに在圏する端末２０を特定する。そして、制御部７２は、特定した端末２０に対して、小セルＣ５０についてのセルサーチを開始させる制御信号を、マクロセルＣ３０を介して通知する。【選択図】図３
2014230220.tif 000002
【特許請求の範囲】
【請求項１】
第１のセル及び第２のセルの両方に在圏する第１の端末の位置情報と、前記第１のセルに在圏する第２の端末の位置情報とを取得する取得手段と、
前記第１の端末の位置情報と、前記第２の端末の位置情報とに基づいて、前記第２のセルに対応するエリアを含む周辺エリアに在圏する前記第２の端末を特定し、前記特定した第２の端末に対して、前記第２のセルについてのセルサーチを開始させる制御信号を、前記第１のセルを介して通知する制御手段と、
を具備することを特徴とする制御装置。
【請求項２】
前記制御手段は、前記第１の端末の位置情報と、前記第２のセルに対応するエリアの幅に応じた値とに基づいて、前記周辺エリアを推定し、前記推定した周辺エリアと、前記第２の端末の位置情報とに基づいて、前記推定した周辺エリアに在圏する前記第２の端末を特定する、
ことを特徴とする請求項１に記載の制御装置。
【請求項３】
前記制御手段は、前記第１の端末からの要求を受け取った場合、前記制御信号を通知する、
ことを特徴とする請求項１に記載の制御装置。
【請求項４】
第１のセルに在圏する端末装置であって、
前記第１のセルと異なる第２のセルで送信された信号を検出する検出手段と、
前記検出手段で信号を検出した場合、前記第２のセルに在圏することを示す情報、及び、自身の位置情報を、前記第１のセルを介して制御装置に報告する報告手段と、
を具備することを特徴とする端末装置。
【請求項５】
第１のセルに在圏する端末装置であって、
前記第１のセルで送信された信号を受信する受信手段と、
前記受信した信号に、前記第１のセルと異なる第２のセルについてのセルサーチを開始させる制御信号が含まれる場合、前記第２のセルについてのセルサーチを開始するセルサーチ手段と、
を具備することを特徴とする端末装置。
【請求項６】
第１のセル及び第２のセルの両方に在圏する第１の端末の位置情報と、前記第１のセルに在圏する第２の端末の位置情報とを取得し、
前記第１の端末の位置情報と前記第２の端末の位置情報とに基づいて、前記第２のセルに対応するエリアを含む周辺エリアに在圏する前記第２の端末を特定し、
前記特定した第２の端末に、前記第２のセルについてのセルサーチを開始させる、
セルサーチ制御方法。
【発明の詳細な説明】
【技術分野】
【０００１】
本発明は、制御装置、端末装置、及びセルサーチ制御方法に関する。
【背景技術】
【０００２】
従来、通信システムにおける伝送容量（以下では、「システム容量」と呼ばれることがある）を増大させるために、様々な工夫がなされている。例えば、３ＧＰＰ  ＬＴＥ（3rd  Generation  Partnership  Project  Long  Term  Evolution）では、「マクロセル」の他に「小セル」を活用してシステム容量を増大させる技術に関する議論が行われている。ここで、「セル」は、１つの基地局装置（以下では、単に「基地局」と呼ばれることがある）の「通信エリア」と「チャネル周波数」とに基づいて規定される。「通信エリア」とは、基地局から送信された電波が到達するエリア（以下では、「射程エリア」と呼ばれることがある）の全体でもよいし、射程エリアが分割された分割エリア（所謂、セクタ）であってもよい。また、「チャネル周波数」とは、基地局が通信に使用する周波数の一単位であり、中心周波数と帯域幅とに基づいて規定される。また、チャネル周波数は、システム全体に割り当てられている「オペレーティング帯域」の一部である。そして、「マクロセル」は、高い送信電力で送信可能な基地局、つまり射程エリアの大きい基地局のセルである。また、「小セル（スモールセル）」は、低い送信電力で送信する基地局、つまり射程エリアの小さい基地局のセルである。
【０００３】
すなわち、通信システムの構成として、図１に示すように、大きさの異なるセルが混在する構成が検討されている。例えば、通信システムの構成として、マクロセルの中に複数の小セルが含まれる第１構成や、マクロセルと関係なく複数の小セルが配置される第２構成等があり得る。図１は、通信システムの構成例を示す図である。
【０００４】
また、通信端末装置（以下では、単に「端末」と呼ばれることがある）が基地局と通信を始めるために、端末は、接続対象のセルの検出処理（つまり、セルサーチ処理）を行っている。
【先行技術文献】
【非特許文献】
【０００５】
【非特許文献１】3GPP  TSG-RAN  Meeting#58,  RP-122032,  “New  Study  Item  Proposal  for  Small  Cell  Enhancements  for  E-UTRA  and  E-UTRAN  -  Physical-layer  Aspects,”  December  2012
【非特許文献２】3GPP  TSG-RAN  Meeting#58,  RP-122033,  “New  Study  Item  Description:  Small  Cell  enhancements  for  E-UTRA  and  E-UTRAN  -  Higher-layer  aspects,”  December  2012
【特許文献】
【０００６】
【特許文献１】特開２０１０−１７０４６９号公報
【特許文献２】特開２０００−２５３０９５号公報
【発明の概要】
【発明が解決しようとする課題】
【０００７】
ところで、１回の充電で端末が稼働できる時間を長期化したいニーズがある。しかしながら、例えば、小セルについてのセルサーチによって端末の消費電力が大きくなってしまう可能性がある。すなわち、マクロセルと小セルとは異なる周波数帯（Inter-frequency）を基本的に用いるため、マクロセルと小セルとで個別にセルサーチ処理を行うことになる。そして、小セルの位置が把握できていない状況では、小セルから離れた位置で小セルのセルサーチ処理を繰り返し実行してしまう可能性があり、この場合、端末の電力が無駄に消費されてしまう可能性がある。
【０００８】
開示の技術は、上記に鑑みてなされたものであって、端末装置の消費電力を削減する、制御装置、端末装置、及びセルサーチ制御方法を提供することを目的とする。
【課題を解決するための手段】
【０００９】
開示の態様では、第１のセル及び第２のセルの両方に在圏する第１の端末の位置情報と、前記第１のセルに在圏する第２の端末の位置情報とを取得し、前記第１の端末の位置情報と前記第２の端末の位置情報とに基づいて、前記第２のセルに対応するエリアを含む周辺エリアに在圏する前記第２の端末を特定し、前記特定した第２の端末に、前記第２のセルについてのセルサーチを開始させる。
【発明の効果】
【００１０】
開示の態様によれば、端末装置の消費電力を削減できる。
【図面の簡単な説明】
【００１１】
【図１】図１は、通信システムの構成例を示す図である。
【図２】図２は、実施例１の通信システムの一例を示す図である。
【図３】図３は、実施例１の制御装置の一例を示すブロック図である。
【図４】図４は、実施例１の第１の端末の一例を示すブロック図である。
【図５】図５は、実施例１の第２の端末の構成を示すブロック図である。
【図６】図６は、実施例１の第１の基地局の一例を示すブロック図である。
【図７】図７は、実施例１の第２の基地局の一例を示すブロック図である。
【図８】図８は、周辺エリアの推定の説明に供する図である。
【図９】図９は、小セルについてのセルサーチ処理の説明に供する図である。
【図１０】図１０は、実施例２の通信システムの一例を示す図である。
【図１１】図１１は、実施例２の制御装置の一例を示すブロック図である。
【図１２】図１２は、実施例２の第１の端末の一例を示すブロック図である。
【図１３】図１３は、実施例２の第２の端末の一例を示すブロック図である。
【図１４】図１４は、実施例２の第１の基地局の一例を示すブロック図である。
【図１５】図１５は、実施例２の第２の基地局の一例を示すブロック図である。
【図１６】図１６は、実施例２の小セル情報の登録の説明に供するシーケンス図である。
【図１７】図１７は、小セル情報の一例を示す図である。
【図１８】図１８は、小セルの入力用画面の一例を示す図である。
【図１９】図１９は、小セル管理ＤＢのフォーマットの一例を示す図である。
【図２０】図２０は、実施例２の小セル情報の管理の説明に供する図である。
【図２１】図２１は、実施例２のユーザ情報の登録の説明に供する図である。
【図２２】図２２は、第２の端末のユーザ情報の一例を示す図である。
【図２３】図２３は、ユーザ情報の入力画面の一例を示す図である。
【図２４】図２４は、第１の端末のユーザ情報の一例を示す図である。
【図２５】図２５は、ユーザ情報の入力画面の一例を示す図である。
【図２６】図２６は、ユーザ管理ＤＢのフォーマットの一例を示す図である。
【図２７】図２７は、実施例２の位置情報の登録の説明に供する図である。
【図２８】図２８は、ユーザ管理ＤＢのフォーマットの一例を示す図である。
【図２９】図２９は、実施例２の小セル情報の送信要求の説明に供する図である。
【図３０】図３０は、小セル情報送信要求部による小セル識別子の保持形態の一例を示す図である。
【図３１】図３１は、小セル情報送信要求のフォーマットの一例を示す図である。
【図３２】図３２は、送信間隔及び送信回数の入力画面の一例を示す図である。
【図３３】図３３は、小セル情報の送信手順の説明に供するフローチャートである。
【図３４】図３４は、実施例２の小セル情報の送信手順の説明に供するフローチャートである。
【図３５】図３５は、実施例２の小セル情報の送信手順の際に、制御装置における機能部間での情報の送受信を示すシーケンス図である。
【図３６】図３６は、端末のハードウェア構成例を示す図である。
【図３７】図３７は、基地局のハードウェア構成例を示す図である。
【図３８】図３８は、制御装置のハードウェア構成例を示す図である。
【発明を実施するための形態】
【００１２】
以下に、本願の開示する制御装置、端末装置、及びセルサーチ制御方法の実施形態を図面に基づいて詳細に説明する。なお、この実施形態により本願の開示する制御装置、端末装置、及びセルサーチ制御方法が限定されるものではない。また、実施形態において同一の機能を有する構成には同一の符号を付し、重複する説明は省略される。
【００１３】
［実施例１］
［通信システムの概要］
図２は、実施例１の通信システムの一例を示す図である。図２において、通信システム１は、端末１０，２０と、基地局３０，５０と、制御装置７０とを有する。図２において、マクロセルＣ３０は、基地局３０の射程エリアと第１のチャネル周波数とによって規定される。また、小セルＣ５０は、基地局５０の射程エリアと第２のチャネル周波数とによって規定される。また、第１のチャネル周波数と第２のチャネル周波数とは、異なるオペレーティング帯域に属している。オペレーティング帯域としては、例えば、８００ＭＨｚ帯、１．５ＧＨｚ帯、３．５ＧＨｚ帯、２ＧＨｚ帯等のいずれであってもよい。また、端末１０及び端末２０は、マクロセルＣ３０を用いて基地局３０と接続していることを前提とする。なお、図２に示した、端末１０，２０と、基地局３０，５０と、制御装置７０との数は一例であり、これに限定されるものではない。また、図２における端末２０−１，２は同じ構成を有している。また、以下では、端末２０−１，２を区別しない場合には、総称して、単に端末２０と呼ばれることがある。
【００１４】
通信システム１において端末１０は、小セルＣ５０を用いて基地局５０から送信された信号を検出した場合、小セルＣ５０に在圏していることを示す情報、及び、端末１０の位置情報を、マクロセルＣ３０の基地局３０を介して制御装置７０に報告する。
【００１５】
また、端末２０は、端末２０の位置情報を、マクロセルＣ３０の基地局３０を介して制御装置７０に報告する。端末２０は、例えば、定期的に報告する。
【００１６】
また、制御装置７０は、マクロセルＣ３０及び小セルＣ５０の両方に在圏する端末１０の位置情報と、マクロセルＣ３０に在圏する端末２０の位置情報とを取得する。そして、制御装置７０は、端末１０の位置情報と、端末２０の位置情報とに基づいて、小セルＣ５０に対応するエリアを含む「周辺エリア」に在圏する端末２０を特定する。実施例１では、例えば、制御装置７０は、端末１０の位置情報と、小セルＣ５０の平均的な幅（例えば、直径）に対応する値とに基づいて、周辺エリアを推定し、推定した周辺エリアと、端末２０の位置情報とに基づいて、推定した周辺エリアに在圏する端末２０を特定する。周辺エリアは、例えば、図２におけるエリアＡ１０である。周辺エリアがエリアＡ１０である場合、制御装置７０は、端末２０−１を特定する。周辺エリアについては、後に詳しく説明する。
【００１７】
そして、制御装置７０は、特定した端末２０−１に対して、小セルＣ５０についてのセルサーチ処理を開始させる制御信号を、マクロセルＣ３０を介して通知する。なお、制御装置７０は、端末１０からの要求があった場合に、上記の周辺エリアに在圏する端末の特定処理、及び、特定した端末に対する上記の制御信号を通知する処理を実行してもよい。
【００１８】
端末２０−１は、マクロセルＣ３０を用いて送信された信号に上記の制御信号が含まれる場合、小セルＣ５０についてのセルサーチを開始する。
【００１９】
以上のように、制御装置７０が、端末１０の位置情報及び端末２０の位置情報に基づいて、小セルＣ５０に対応するエリアを含む周辺エリアに在圏する端末２０、つまり、小セルＣ５０に又は小セルＣ５０の近傍に存在する端末２０を特定することができる。そして、制御装置７０が小セルＣ５０に又は小セルＣ５０の近傍に存在する端末２０に対してのみ小セルＣ５０についてのセルサーチを開始させることができる。この結果、小セルＣ５０から離れている端末２０は無駄に小セルＣ５０についてのセルサーチを実行しないので、端末２０の消費電力を削減することができる。
【００２０】
［制御装置の構成例］
図３は、実施例１の制御装置の一例を示すブロック図である。図３において制御装置７０は、ネットワークインタフェース（ＩＦ）７１と、制御部７２とを有する。制御部７２は、特定部７３と、推定部７４と、通知部７５とを有する。
【００２１】
ネットワークＩＦ７１は、制御装置７０と基地局３０，５０との間の通信インタフェースである。そして、ネットワークＩＦ７１は、端末１０及び端末２０から送信された情報を、基地局３０を介して取得する。その情報は、例えば、端末１０の位置情報、端末２０の位置情報、及び端末１０からの要求メッセージである。制御部７２は、この要求メッセージを、上記の周辺エリアに在圏する端末の特定処理、及び、特定した端末に対する上記の制御信号を通知する処理を実行するトリガとしてもよい。
【００２２】
推定部７４は、端末１０の位置情報と、小セルＣ５０の平均的な幅（例えば、直径）に対応する値とに基づいて、周辺エリアを推定する。
【００２３】
特定部７３は、推定部７４で推定された周辺エリアと、端末２０の位置情報に基づいて、推定した周辺エリアに在圏する端末２０を特定する。
【００２４】
通知部７５は、特定部７３で特定された端末２０に対する上記の制御信号を形成し、形成した制御信号を、特定部７３で特定された端末２０に対してネットワークＩＦ７１及び基地局３０を介して通知する。
【００２５】
［第１の端末の構成例］
図４は、実施例１の第１の端末の一例を示すブロック図である。図４において端末１０は、無線部１１と、信号処理部１２と、制御部１３と、ＧＰＳ（Global  Positioning  System）処理部１４とを有する。制御部１３は、検出部１５と、報告部１６とを有する。
【００２６】
無線部１１は、端末１０と基地局３０，５０との間の通信インタフェースである。無線部１１は、アンテナを介して受信した受信信号に対して所定の受信無線処理、つまりダウンコンバート、アナログディジタル変換等を施し、受信無線処理後の受信信号を信号処理部１２へ出力する。また、無線部１１は、信号処理部１２から受け取る送信信号に対して所定の送信無線処理、つまりディジタルアナログ変換、アップコンバート等を施して無線信号を形成し、形成した無線信号をアンテナを介して送信する。
【００２７】
信号処理部１２は、無線部１１から受け取る受信信号に対して、所定の受信処理（つまり、復調、復号等）を施し、受信データを制御部１３へ出力する。また、信号処理部１２は、入力された送信データに対して、所定の送信処理（つまり、符号化、変調等）を施して送信信号を形成し、無線部１１へ出力する。
【００２８】
検出部１５は、信号処理部１２から受け取る受信データを用いて、基地局５０から送信された信号を検出する。例えば、検出部１５は、基地局５０から送信された参照信号を検出する。
【００２９】
報告部１６は、ＧＰＳ処理部１４によって取得された端末１０の位置情報を受け取る。そして、報告部１６は、検出部１５が基地局５０から送信された信号を検出した場合、小セルＣ５０に在圏していることを示す情報、及び、端末１０の位置情報を、信号処理部１２へ出力することにより、マクロセルＣ３０の基地局３０を介して制御装置７０に報告する。
【００３０】
ＧＰＳ処理部１４は、端末１０の位置情報を取得し、制御部１３へ出力する。
【００３１】
［第２の端末の構成例］
図５は、実施例１の第２の端末の構成を示すブロック図である。図５において端末２０は、無線部２１と、信号処理部２２と、制御部２３と、ＧＰＳ処理部２４とを有する。制御部２３は、報告部２５と、セルサーチ部２６とを有する。
【００３２】
無線部２１は、端末２０と基地局３０，５０との間の通信インタフェースである。無線部２１は、アンテナを介して受信した受信信号に対して所定の受信無線処理、つまりダウンコンバート、アナログディジタル変換等を施し、受信無線処理後の受信信号を信号処理部２２へ出力する。また、無線部２１は、信号処理部２２から受け取る送信信号に対して所定の送信無線処理、つまりディジタルアナログ変換、アップコンバート等を施して無線信号を形成し、形成した無線信号をアンテナを介して送信する。
【００３３】
信号処理部２２は、無線部２１から受け取る受信信号に対して、所定の受信処理（つまり、復調、復号等）を施し、受信データを制御部２３へ出力する。また、信号処理部２２は、入力された送信データに対して、所定の送信処理（つまり、符号化、変調等）を施して送信信号を形成し、無線部２１へ出力する。
【００３４】
報告部２５は、ＧＰＳ処理部２４によって取得された端末２０の位置情報を受け取る。そして、報告部２５は、端末２０の位置情報を信号処理部２２へ出力することにより、マクロセルＣ３０の基地局３０を介して制御装置７０に報告する。
【００３５】
セルサーチ部２６は、マクロセルＣ３０を用いて送信された信号に制御信号が含まれる場合、小セルＣ５０についてのセルサーチを開始する。この制御信号は、小セルＣ５０についてのセルサーチ処理を開始させる制御信号である。
【００３６】
ＧＰＳ処理部２４は、端末２０の位置情報を取得し、制御部２３へ出力する。
【００３７】
［第１の基地局の構成例］
図６は、実施例１の第１の基地局の一例を示すブロック図である。図６において基地局３０は、無線部３１と、信号処理部３２と、制御部３３と、ネットワークＩＦ３４とを有する。
【００３８】
無線部３１は、基地局３０と端末１０，２０との間の通信インタフェースである。無線部３１は、端末１０又は端末２０から送信された信号をアンテナを介して受信する。そして、無線部３１は、受信信号に対して所定の受信無線処理、つまりダウンコンバート、アナログディジタル変換等を施し、受信無線処理後の受信信号を信号処理部３２へ出力する。また、無線部３１は、信号処理部３２から受け取る送信信号に対して所定の送信無線処理、つまりディジタルアナログ変換、アップコンバート等を施して無線信号を形成し、形成した無線信号をアンテナを介して送信する。
【００３９】
信号処理部３２は、無線部３１又はネットワークＩＦ３４から受け取る受信信号に対して、所定の受信処理（つまり、復調、復号等）を施し、受信データを制御部３３へ出力する。また、信号処理部３２は、制御部３３から受け取る送信データに対して、所定の送信処理（つまり、符号化、変調等）を施して送信信号を形成し、ネットワークＩＦ３４又は無線部３１へ出力する。
【００４０】
制御部３３は、制御装置７０から送信された信号を端末１０若しくは端末２０へ転送する転送処理、又は、端末１０若しくは端末２０から送信された信号を制御装置７０へ転送する転送処理を実行する。また、制御部３３は、参照信号を形成し、形成した参照信号を信号処理部３２及び無線部３１を介して送信する。また、制御部３３は、基地局３０と、端末１０又は端末２０との間のセルサーチ手順を制御する。
【００４１】
ネットワークＩＦ３４は、基地局３０と制御装置７０との間の通信インタフェースである。そして、ネットワークＩＦ３４は、信号処理部３２から受け取る送信信号を制御装置７０へ送信する。また、ネットワークＩＦ３４は、制御装置７０から受け取る信号を、信号処理部３２へ出力する。
【００４２】
［第２の基地局の構成例］
図７は、実施例１の第２の基地局の一例を示すブロック図である。図７において基地局５０は、無線部５１と、信号処理部５２と、制御部５３と、ネットワークＩＦ５４とを有する。
【００４３】
無線部５１は、基地局５０と端末１０，２０との間の通信インタフェースである。無線部５１は、端末１０又は端末２０から送信された信号をアンテナを介して受信する。そして、無線部５１は、受信信号に対して所定の受信無線処理、つまりダウンコンバート、アナログディジタル変換等を施し、受信無線処理後の受信信号を信号処理部５２へ出力する。また、無線部５１は、信号処理部５２から受け取る送信信号に対して所定の送信無線処理、つまりディジタルアナログ変換、アップコンバート等を施して無線信号を形成し、形成した無線信号をアンテナを介して送信する。
【００４４】
信号処理部５２は、無線部５１又はネットワークＩＦ５４から受け取る受信信号に対して、所定の受信処理（つまり、復調、復号等）を施し、受信データを制御部５３へ出力する。また、信号処理部５２は、制御部５３から受け取る送信データに対して、所定の送信処理（つまり、符号化、変調等）を施して送信信号を形成し、ネットワークＩＦ５４又は無線部５１へ出力する。
【００４５】
制御部５３は、制御装置７０から送信された信号を端末１０若しくは端末２０へ転送する転送処理、又は、端末１０若しくは端末２０から送信された信号を制御装置７０へ転送する転送処理を実行する。また、制御部５３は、参照信号を形成し、形成した参照信号を信号処理部５２及び無線部５１を介して送信する。また、制御部５３は、基地局５０と、端末１０又は端末２０との間のセルサーチ手順を制御する。
【００４６】
ネットワークＩＦ５４は、基地局５０と制御装置７０との間の通信インタフェースである。そして、ネットワークＩＦ５４は、信号処理部５２から受け取る送信信号を制御装置７０へ送信する。また、ネットワークＩＦ５４は、制御装置７０から受け取る信号を、信号処理部５２へ出力する。
【００４７】
［通信システムの動作例］
以上の構成を有する通信システム１における処理動作の一例について説明する。
【００４８】
＜周辺エリアの推定処理＞
制御装置７０において推定部７４は、端末１０の位置情報と小セルＣ５０の平均的な幅（例えば、直径）に対応する値に基づいて、周辺エリアを推定する。
【００４９】
実施例１では、制御装置７０は小セルＣ５０の位置情報を取得できないことを前提としている。しかし、端末１０が小セルＣ５０において送信された信号を受信した場合、その時点での端末１０の位置情報を報告するので、制御装置７０は、端末１０が小セルＣ５０に在圏していること、及び、端末１０の位置情報を知ることができる。
【００５０】
そこで、例えば、図８に示すように、推定部７４は、端末１０の位置情報が示す位置を中心として、小セルＣ５０の平均的な幅を直径とする円内のエリアＡ１０を、周辺エリアとして算出する。すなわち、周辺エリアは、端末１０が在圏している小セルＣ５０が含まれていると推定されるエリアである。図８は、周辺エリアの推定の説明に供する図である。
【００５１】
＜周辺エリア内の端末を特定する処理＞
そして、特定部７３は、推定した周辺エリア内に在圏する端末２０を特定する。
【００５２】
すなわち、制御部７２は、基地局３０（つまりマクロセルＣ３０）経由で、マクロセルＣ３０に在圏する各端末２０から報告された各端末２０の位置情報を取得している。そして、特定部７３は、推定した周辺エリアと、各端末２０の位置情報とに基づいて、推定した周辺エリアに在圏する端末２０を全て特定する。
【００５３】
そして、通知部７５は、特定部７３で特定された端末２０に対する制御信号を形成し、形成した制御信号を、特定部７３で特定された端末２０に対してネットワークＩＦ７１及び基地局３０を介して通知する。この制御信号は、上記の通り、小セルＣ５０についてのセルサーチ処理を開始させる制御信号である。
【００５４】
＜小セルについてのセルサーチ処理＞
端末２０においてセルサーチ部２６は、マクロセルＣ３０を用いて送信された信号に上記の制御信号が含まれる場合、小セルＣ５０についてのセルサーチを開始する。
【００５５】
例えば、セルサーチ部２６は、マクロセルＣ３０を用いて送信された信号に上記の制御信号が含まれる場合、図９に示す手順を実行する。図９には、端末２０が、接続中の基地局３０にＲＲＣ（Radio  Resource  Control）信号を送信し、基地局３０から基地局５０へハンドオーバするまでの手順が示されている。この手順の中に、端末２０による小セルＣ５０についてのセルサーチ処理が含まれている。図９は、小セルについてのセルサーチ処理の説明に供する図である。
【００５６】
まず、セルサーチ部２６は、マクロセルＣ３０を用いて送信された信号に上記の制御信号が含まれる場合、ＲＲＣ（Radio  Resource  Control）信号として、近接指示（Proximity  Indication）を、接続中の基地局３０へ送信する（ステップＳ１０１）。これにより、基地局３０は、近接指示を送信した端末２０が周辺エリアに在圏していることを知ることができる。
【００５７】
基地局３０において制御部３３は、端末２０から送信された近接指示を受け取ると、無線測定開始制御信号をその端末２０へ送信する（ステップＳ１０２）。この無線測定開始制御信号には、小セルＣ５０の測定に用いる制御情報が含まれている。そして、端末２０においてセルサーチ部２６は、無線測定開始制御信号を受け取ると、小セルＣ５０のセルサーチ処理を実行する。このセルサーチ処理により、セルサーチ部２６は、小セルＣ５０の物理セルＩＤ（ＰＣＩ）を特定することができる。
【００５８】
そして、セルサーチ部２６は、特定したＰＣＩ（つまり、ハンドオーバ先基地局の候補）を、測定報告結果に含めて基地局３０へ送信する（ステップＳ１０３）。
【００５９】
そして、基地局３０において制御部３３は、小セルＣ５０のＳＩ（System  Information）の報告を要求するＳＩ情報要求を端末２０へ送信する（ステップＳ１０４）。
【００６０】
そして、端末２０においてセルサーチ部２６は、ＳＩ情報要求を受け取ると、小セルＣ５０で基地局５０から送信されている報知情報を受信し（ステップＳ１０５）、受信した報知情報に含まれるＳＩを抽出する。抽出したＳＩには、ＣＧＩ（Cell  Global  Identity）、ＴＡＩ（Tracking  Area  Identity）及びＣＳＧ  ＩＤ（Closed  Subscriber  Group  Identification）が含まれる。そして、セルサーチ部２６は、抽出したＳＩに基づいて、ＣＳＧ  ＩＤの示すＣＳＧに自身が属しているか否かを判定する。
【００６１】
そして、セルサーチ部２６は、抽出したＳＩに含まれるＣＧＩ及びＴＡＩ、並びに、ＣＳＧに端末２０が属しているか否かを示す情報（つまり、member  status）を含む測定結果報告を基地局３０へ送信する（ステップＳ１０６）。
【００６２】
そして、基地局３０は、端末２０をハンドオーバさせるか否かを決定し、ハンドオーバさせると決定した場合、端末２０及び基地局５０との間でハンドオーバ処理を実行する（ステップＳ１０７）。
【００６３】
以上のように本実施例によれば、制御装置７０においてネットワークＩＦ７１は、マクロセルＣ３０及び小セルＣ５０の両方に在圏する端末１０の位置情報と、マクロセルＣ３０に在圏する端末２０の位置情報とを取得する。そして、制御部７２は、端末１０の位置情報と、端末２０の位置情報とに基づいて、小セルＣ５０に対応するエリアを含む周辺エリアに在圏する端末２０を特定する。そして、制御部７２は、特定した端末２０に対して、小セルＣ５０についてのセルサーチを開始させる制御信号を、マクロセルＣ３０を介して通知する。
【００６４】
この制御装置７０の構成により、小セルＣ５０の近傍に位置する端末２０に対してのみセルサーチを開始させることができるので、端末２０の消費電力を削減することができる。
【００６５】
また、制御部７２は、端末１０の位置情報と、小セルＣ５０に対応するエリアの幅に応じた値とに基づいて、周辺エリアを推定し、推定した周辺エリアと、第２の端末の位置情報とに基づいて、推定した周辺エリアに在圏する第２の端末を特定する。
【００６６】
この制御装置７０の構成により、小セルＣ５０に対応するエリアを含む周辺エリアを簡単に算出することができる。
【００６７】
［実施例２］
実施例１では、制御装置が小セルに対応する基地局の情報を取得しないことを前提した。これに対して、実施例２では、制御装置が小セルに対応する基地局の情報を取得することを前提とする。なお、実施例２では、制御装置の管理者が小セルに対応する基地局の情報を知っており、その基地局の近傍に第１の端末を設置することを前提とする。
【００６８】
［通信システムの概要］
図１０は、実施例２の通信システムの一例を示す図である。図１０において、通信システム２は、端末１１０，１２０と、基地局１３０，１５０と、制御装置１７０とを有する。端末１１０，１２０は、実施例１の端末１０，２０とそれぞれ対応する。また、基地局１３０，１５０は、実施例１の基地局３０，５０とそれぞれ対応する。また、制御装置１７０は、実施例１の制御装置７０と対応する。また、マクロセルＣ１３０は、実施例１のマクロセルＣ３０と対応する。また、小セルＣ１５０は、実施例１の小セルＣ５０と対応する。
【００６９】
［制御装置の構成例］
図１１は、実施例２の制御装置の一例を示すブロック図である。図１１において制御装置１７０は、制御部１７２と、記憶部１７３とを有する。制御部７２は、小セル管理部１８１と、ユーザ管理部１８２と、小セル情報送信制御部１８３とを有する。記憶部１７３は、小セル管理データベース（ＤＢ）１８４と、ユーザ管理ＤＢ１８５とを有する。
【００７０】
小セル管理部１８１は、マクロセルＣ１３０に対応するエリア内に存在する小セルＣ１５０に関する情報（周波数情報、位置情報等）を管理する。例えば、小セル管理部１８１は、小セルＣ１５０に対応する基地局１５０によって登録処理された小セルＣ１５０に関する情報を、小セル管理ＤＢ１８４に記憶させる。また、小セル管理部１８１は、小セル管理ＤＢ１８４に登録されている小セルＣ１５０に対応する基地局１５０に対して、定期的に運用継続確認信号を送信する。この運用継続確認信号に対する応答が基地局１５０から送信されて来ない場合、小セル管理部１８１は、その小セルＣ１５０は現在運用されていないと判断し、その小セルＣ１５０に関する情報を小セル管理ＤＢ１８４から削除する。
【００７１】
ユーザ管理部１８２は、マクロセルＣ１３０に対応するエリア内に存在する端末１１０，１２０に関する情報（つまり、ユーザ情報（端末識別子、位置情報等））を管理する。例えば、ユーザ管理部１８２は、端末１１０，１２０によって登録処理されたユーザ情報を、ユーザ管理ＤＢ１８５に記憶させる。また、ユーザ管理部１８２は、端末１１０，１２０から、定期的に送信されてくる最新の位置情報で、ユーザ管理ＤＢ１８５に既に記憶されている位置情報を更新する。
【００７２】
小セル情報送信制御部１８３は、端末１１０から送信されてくる小セル情報送信要求に応じて、周辺エリアに在圏する端末１２０に対して、小セル情報を送信する。例えば、小セル情報送信制御部１８３は、端末１１０から送信されてくる小セル情報送信要求を受信する。この小セル情報送信要求には、小セルの識別情報が含まれている。そして、小セル情報送信制御部１８３は、その小セルの識別情報をキーとして、小セル管理ＤＢ１８４を検索する。そして、その小セルの識別情報が小セル管理ＤＢ１８４に登録されている場合、小セル情報送信制御部１８３は、ユーザ管理ＤＢ１８５において、その小セルの識別情報に対応づけられている端末１２０、つまり小セル情報送信要求の送信元である端末１２０を特定する。そして、小セル情報送信制御部１８３は、特定した端末１２０とユーザ管理ＤＢ１８５において対応づけられている位置情報と、所定の値とに基づいて、周辺エリアを推定し、推定した周辺エリアに在圏する端末１２０を特定する。そして、小セル情報送信制御部１８３は、特定した端末１２０の全てに対して、小セル情報を送信する。
【００７３】
小セル管理ＤＢ１８４は、小セル管理部１８１から受け取った小セルＣ１５０に関する情報を格納する。
【００７４】
ユーザ管理ＤＢ１８５は、ユーザ管理部１８２から受け取るユーザ情報を格納する。
【００７５】
［第１の端末の構成例］
図１２は、実施例２の第１の端末の一例を示すブロック図である。図１２において端末１１０は、制御部１１３を有する。制御部１１３は、アプリケーション部１１４と、位置情報送信制御部１１５とを有する。アプリケーション部１１４は、ユーザ登録部１１６と、小セル情報登録部１１７と、小セル情報送信要求部１１８とを有する。
【００７６】
ユーザ登録部１１６は、自装置のユーザ情報を、基地局１３０を介して制御装置１７０へ送信する。
【００７７】
小セル情報登録部１１７は、自装置が在圏する小セルＣ１５０に関する情報（周波数情報、位置情報等）を、基地局１３０を介して制御装置１７０へ送信する。
【００７８】
小セル情報送信要求部１１８は、小セル情報送信要求を、定期的に、基地局１３０を介して制御装置１７０へ送信する。
【００７９】
位置情報送信制御部１１５は、ＧＰＳ処理部１４から受け取る自装置の位置情報を、基地局１３０を介して制御装置１７０へ送信する。
【００８０】
［第２の端末の構成例］
図１３は、実施例２の第２の端末の一例を示すブロック図である。図１３において端末１２０は、制御部１２３を有する。制御部１２３は、アプリケーション部１２４と、位置情報送信制御部１２５とを有する。アプリケーション部１２４は、ユーザ登録部１２６と、セルサーチ部１２７とを有する。
【００８１】
ユーザ登録部１２６は、自装置のユーザ情報を、基地局１３０を介して制御装置１７０へ送信する。
【００８２】
セルサーチ部１２７は、マクロセルＣ１３０を用いて送信された信号に小セル情報が含まれる場合、小セルＣ１５０についてのセルサーチを開始する。すなわち、小セル情報は、実施例１の制御情報に相当する。
【００８３】
位置情報送信制御部１２５は、ＧＰＳ処理部２４から受け取る自装置の位置情報を、基地局１３０を介して制御装置１７０へ送信する。
【００８４】
［第１の基地局の構成例］
図１４は、実施例２の第１の基地局の一例を示すブロック図である。図１４に示すように、基地局１３０は、基本的に、実施例１の基地局３０と同じ構成を有している。ただし、通信相手が、制御装置１７０及び端末１１０，１２０となっている。
【００８５】
［第２の基地局の構成例］
図１５は、実施例２の第２の基地局の一例を示すブロック図である。図１５において基地局１５０は、制御部１５３を有する。制御部１５３は、小セル登録部１５５を有する。
【００８６】
小セル登録部１５５は、自装置の情報(周波数情報、位置情報等)を、制御装置１７０へ送信する。また、小セル登録部１５５は、定期的に制御装置１７０から送信されてくる運用継続確認要求を受け取ると、自装置が運用継続中であれば、応答信号を送信する。この応答信号には、基地局１５０の情報(周波数情報、位置情報等)を含めてもよい。
【００８７】
［通信システムの動作例］
以上の構成を有する通信システム２における処理動作の一例について説明する。
【００８８】
＜制御装置に対する小セル情報の登録＞
図１６は、実施例２の小セル情報の登録の説明に供するシーケンス図である。
【００８９】
基地局１５０において小セル登録部１５５は、自装置の情報、つまり小セル情報を、信号処理部５２へ送出する（ステップＳ２０１）。
【００９０】
信号処理部５２は、小セル登録部１５５から受け取った小セル情報を含めた送信信号を、制御装置１７０へネットワークＩＦ７１を介して送信する（ステップＳ２０２）。
【００９１】
制御装置１７０において小セル管理部１８１は、基地局１５０から小セル情報を含む信号を受信すると、その小セル情報を小セル管理ＤＢ１８４へ送出する（ステップＳ２０３）。
【００９２】
小セル管理ＤＢ１８４は、小セル管理部１８１から受け取る小セル情報を、小セル情報に含まれる小セル識別子をインデックスとして格納する（ステップＳ２０４）。
【００９３】
ここで、小セル情報について説明する。図１７は、小セル情報の一例を示す図である。図１７に示すように、小セル情報は、項目として、小セル識別子と、位置情報と、周波数帯と、セル半径と、ゲストユーザと、ユーザＩＤとを有する。小セル識別子は、各小セルに固有の識別子である。また、ゲストユーザの項目は、ゲストユーザに小セルに対するアクセスを許可するか否かを示す。すなわち、ゲストユーザにアクセスを許可する場合、全てのユーザがアクセスできるので、ユーザＩＤの項目は無効とされる。
【００９４】
また、小セル登録部１５５は、小セル情報をユーザの入力によって取得してもよい。この小セル情報の取得には、ウェブブラウザを利用してもよい。すなわち、小セル登録部１５５がウェブブラウザの管理用ページを有し、当該管理用ページにユーザが通信装置を用いてアクセスする。そして、ユーザは、通信装置の表示部に表示された管理用ページに小セル情報を入力する。図１８は、小セルの入力用画面の一例を示す図である。図１８において、小セル識別子、位置情報、周波数帯、及びセル半径は、基本情報であるので、変更できないようにしてもよい。また、図１８に示す入力用画面では、ゲストユーザによるアクセスの許可／不許可の設定は、ラジオボタンを用いて実行できるようになっている。また、図１８に示す入力画面は、ゲストユーザのアクセスを不許可にした場合に、アクセスを許可するユーザのＩＤを入力する入力枠を有している。この入力画面を用いてユーザが入力した小セル情報を、小セル登録部１５５は、信号処理部５２へ送出する。
【００９５】
また、小セル管理ＤＢ１８４のフォーマットについて説明する。図１９は、小セル管理ＤＢのフォーマットの一例を示す図である。図１９に示すように、小セル管理ＤＢ１８４は、マクロセルＣ１３０に対応するエリア内に存在する小セルＣ１５０毎に、小セル情報を保持している。なお、小セル管理ＤＢ１８４は、今回受け取った小セル情報に含まれる小セル識別子に対応する小セル情報を既に記憶している場合、今回受け取った小セル情報の内容で更新処理を行う。
【００９６】
＜小セル情報の管理＞
図２０は、実施例２の小セル情報の管理の説明に供する図である。
【００９７】
制御装置１７０において小セル管理部１８１は、運用継続確認を基地局１５０へ送信する（ステップＳ３０１）。
【００９８】
基地局１５０において信号処理部５２は、制御装置１７０から送信された運用継続確認を受信すると、小セル登録部１５５へ送出する（ステップＳ３０２）。
【００９９】
小セル登録部１５５は、運用継続確認を受け取ると、自装置が運用しているか否かを判定し、運用している場合、応答を信号処理部５２へ送出する（ステップＳ３１１）。すなわち、基地局１５０が運用している場合、ステップＳ３１０の手順が実行される。ここで、小セル登録部１５５は、現在の小セル情報を含めた応答を送出する。
【０１００】
信号処理部５２は、小セル登録部１５５から受け取った応答を、制御装置１７０へ送信する（ステップＳ３１２）。
【０１０１】
制御装置１７０において小セル管理部１８１は、基地局１５０から送信された応答を受信すると、その応答に含まれる小セル情報を小セル管理ＤＢ１８４へ送出する（ステップＳ３１３）。
【０１０２】
小セル管理ＤＢ１８４は、小セル管理部１８１から小セル情報を受け取ると、その小セル情報で既に登録してあった小セル情報を更新する（ステップＳ３１４）。
【０１０３】
一方、基地局１５０において小セル登録部１５５は、自装置が運用していない場合、応答を送出しない。すなわち、基地局１５０が運用されていない場合、ステップＳ３２０の手順が実行される。例えば、制御装置１７０において小セル管理部１８１は、運用継続確認を送信してから一定時間経過しても応答が返って来ない場合、小セル情報削除要求を小セル管理ＤＢ１８４へ送出する（ステップＳ３２１）。
【０１０４】
小セル管理ＤＢ１８４は、小セル情報削除要求を受け取ると、小セル情報削除要求に対応する小セル情報を削除する（ステップＳ３２２）。
【０１０５】
＜ユーザ情報の登録＞
図２１は、実施例２のユーザ情報の登録の説明に供する図である。
【０１０６】
端末１２０においてユーザ登録部１２６は、ユーザ情報を信号処理部２２へ送出する（ステップＳ４０１）。例えば、ユーザ情報には、端末識別子、ユーザＩＤ、及びパスワードが含まれる。
【０１０７】
信号処理部２２は、ユーザ登録部１２６から受け取ったユーザ情報を含む送信信号を、無線部２１へ送出する（ステップＳ４０２）。
【０１０８】
無線部２１は、信号処理部２２から受け取った、ユーザ情報を含む信号に対して無線処理を施し、得られた無線信号を、基地局１３０を介して制御装置１７０へ送信する（ステップＳ４０３）。なお、図２１では、基地局１３０の記載を省略している。
【０１０９】
制御装置１７０においてユーザ管理部１８２は、端末１２０からユーザ情報を含む信号を受信すると、そのユーザ情報をユーザ管理ＤＢ１８５へ送出する（ステップＳ４０４）。
【０１１０】
ユーザ管理ＤＢ１８５は、ユーザ管理部１８２から受け取るユーザ情報を、ユーザ情報に含まれる端末識別子をインデックスとして格納する（ステップＳ４０５）。
【０１１１】
ここで、端末１２０のユーザ情報について説明する。図２２は、第２の端末のユーザ情報の一例を示す図である。図２２に示すように、端末１２０のユーザ情報は、項目として、端末識別子と、ユーザＩＤと、パスワードとを有する。
【０１１２】
また、ユーザ登録部１２６は、ユーザ情報の入力画面を端末１２０の表示部（図示せず）に表示させて、この入力画面を用いてユーザが入力したユーザ情報を、信号処理部２２へ送出してもよい。図２３は、ユーザ情報の入力画面の一例を示す図である。なお、端末識別子は、端末１２０に固有の情報であり端末１２０が既に保持しているので、入力画面には端末識別子の入力枠は設けられていない。
【０１１３】
なお、端末１１０は、端末１２０と同様に、ユーザ情報の登録を行う。ただし、端末１１０から制御装置１７０へ送信されるユーザ情報は、図２４に示すように、項目として、端末識別子、ユーザＩＤ、及びパスワードに加えて、小セルＩＤを有している。図２４は、第１の端末のユーザ情報の一例を示す図である。
【０１１４】
また、端末１１０においてユーザ登録部１１６は、ユーザ情報の入力画面を端末１１０の表示部（図示せず）に表示させて、この入力画面を用いてユーザが入力したユーザ情報を、信号処理部１２へ送出してもよい。図２５は、ユーザ情報の入力画面の一例を示す図である。
【０１１５】
このようにして端末１１０及び端末１２０から送信されたユーザ情報を、ユーザ管理ＤＢ１８５は格納する。図２６は、ユーザ管理ＤＢのフォーマットの一例を示す図である。図２６に示すように、ユーザ管理ＤＢ１８５は、端末１１０及び端末１２０のそれぞれについて、ユーザ情報を保持している。ユーザ管理ＤＢ１８５に保持されるユーザ情報は、項目として、端末種別を有している。この端末種別は、端末１１０と端末１２０とを区別する情報である。すなわち、実施例２では、端末１１０は管理者によって小セルＣ１５０に対応する基地局１５０の近傍に固定的に設置されることを前提としている。そのため、端末１１０に対するユーザ情報の端末種別の項目には、「固定」という情報が設定される。また、端末１１０に対するユーザ情報には、小セルＩＤ（つまり、小セル識別子）との対応づけもなされている。一方、端末１２０に対するユーザ情報の端末種別の項目には、「一般」という情報が設定される。なお、図２６に示したユーザ管理ＤＢのフォーマットは、完成形ではなく、以下で説明する位置情報が設定された段階で完成形となる。
【０１１６】
＜位置情報の登録＞
図２７は、実施例２の位置情報の登録の説明に供する図である。
【０１１７】
端末１２０において位置情報送信制御部１２５は、端末１２０の現在の位置情報を信号処理部２２へ送出する（ステップＳ５０１）。例えば、位置情報には、経度及び緯度に関する情報と、端末識別子とが含められる。
【０１１８】
信号処理部２２は、位置情報送信制御部１２５から受け取った位置情報を含む送信信号を、無線部２１へ送出する（ステップＳ５０２）。
【０１１９】
無線部２１は、信号処理部２２から受け取った、位置情報を含む信号に対して無線処理を施し、得られた無線信号を、基地局１３０を介して制御装置１７０へ送信する（ステップＳ５０３）。なお、図２７では、基地局１３０の記載を省略している。
【０１２０】
制御装置１７０においてユーザ管理部１８２は、端末１２０から位置情報を含む信号を受信すると、その位置情報をユーザ管理ＤＢ１８５へ送出する（ステップＳ５０４）。
【０１２１】
ユーザ管理ＤＢ１８５は、ユーザ管理部１８２から受け取る位置情報を、位置情報に含まれる端末識別子をインデックスとして格納する（ステップＳ５０５）。
【０１２２】
なお、端末１１０は、端末１２０と同様に、ユーザ情報の登録を行う。
【０１２３】
このようにして端末１１０及び端末１２０から送信された位置情報を、ユーザ管理ＤＢ１８５は格納する。図２８は、ユーザ管理ＤＢのフォーマットの一例を示す図である。図２８に示すように、端末１１０及び端末１２０のそれぞれに対して、位置情報が対応づけられる。また、端末１１０及び端末１２０のそれぞれに対して、位置情報の更新時刻も対応づけられる。
【０１２４】
なお、以上の説明では、端末１１０及び端末１２０から制御装置１７０へユーザ情報と位置情報とが別々に送信される場合を例にとり説明したが、これに限定されるものではない。例えば、ユーザ情報と位置情報とは、一緒に送信されてもよい。
【０１２５】
＜小セル情報の送信要求＞
図２９は、実施例２の小セル情報の送信要求の説明に供する図である。
【０１２６】
端末１１０において小セル情報送信要求部１１８は、端末１１０が近傍に設置された基地局１５０に対応する小セルＣ１５０の識別子を保持している。図３０は、小セル情報送信要求部による小セル識別子の保持形態の一例を示す図である。また、小セル情報登録部１１７は、端末１１０が近傍に設置された基地局１５０に対応する小セルＣ１５０の小セル情報を保持している。
【０１２７】
小セル情報送信要求部１１８は、小セル情報要求を小セル情報登録部１１７へ送出する（ステップＳ６０１）。小セル情報要求には、小セル識別子が含まれている。
【０１２８】
小セル情報登録部１１７は、小セル情報送信要求部１１８から小セル情報要求を受け取ると、自身が保持している小セル情報を小セル情報送信要求部１１８へ送出する（ステップＳ６０２）。
【０１２９】
小セル情報送信要求部１１８は、小セル情報登録部１１７から小セル情報を受け取ると、当該小セル情報を用いて、小セル情報送信要求を形成し、信号処理部１２へ送出する（ステップＳ６０３）。図３１は、小セル情報送信要求のフォーマットの一例を示す図である。送信間隔の項目は、制御装置１７０が小セル情報を該当する端末１２０へ送信する時間間隔を示す。また、送信回数の項目は、制御装置１７０が小セル情報を該当する端末１２０へ送信する回数を示す。また、小セル情報送信要求部１１８は、送信間隔及び送信回数の入力画面を端末１１０の表示部（図示せず）に表示させて、この入力画面を用いてユーザが入力した送信間隔及び送信回数を、小セル情報送信要求に含めてもよい。図３２は、送信間隔及び送信回数の入力画面の一例を示す図である。
【０１３０】
図２９に戻り、信号処理部１２は、小セル情報送信要求部１１８から受け取った小セル情報送信要求を含む送信信号を、無線部１１へ送出する（ステップＳ６０４）。
【０１３１】
無線部１１は、信号処理部１２から受け取った、小セル情報送信要求を含む信号に対して無線処理を施し、得られた無線信号を、基地局１３０へ送信する（ステップＳ６０５）。
【０１３２】
基地局１３０において無線部３１は、端末１１０から小セル情報送信要求を含む信号を受信し、所定の無線受信処理を施して、信号処理部３２へ送出する（ステップＳ６０６）。
【０１３３】
信号処理部３２は、無線部３１から小セル情報送信要求を含む信号を受け取ると、制御装置１７０へ送信する（ステップＳ６０７）。
【０１３４】
＜小セル情報の送信＞
制御装置１７０は、端末１１０から送信された小セル情報送信要求を受け取ると、小セル情報の送信手順を実行する。図３３は、実施例２の小セル情報の送信手順の説明に供するフローチャートである。図３４は、実施例２の小セル情報の送信手順の際に、制御装置における機能部間での情報の送受信を示すシーケンス図である。
【０１３５】
制御装置１７０において小セル情報送信制御部１８３は、端末１１０から送信された小セル情報送信要求から小セル識別子を抽出する（ステップＳ７０１）。そして、小セル情報送信制御部１８３は、小セル情報を検索する（ステップＳ７０２）。すなわち、小セル情報送信制御部１８３は、抽出した小セル識別子を含めた小セル情報要求を、小セル管理ＤＢ１８４へ送出する（ステップＳ８０１）。そして、小セル管理ＤＢ１８４は、小セル情報送信制御部１８３から受け取った小セル情報要求に含まれる小セル識別子に対応する小セル情報を小セル情報送信制御部１８３へ送出する（ステップＳ８０２）。
【０１３６】
小セル情報送信制御部１８３は、小セル管理ＤＢ１８４から小セル情報を受け取ると、その小セル情報に対応する小セルがゲストユーザを許可しているか否かを判定する（ステップＳ７０３）。
【０１３７】
そして、小セル情報送信制御部１８３は、ゲストユーザを許可していると判定した場合（ステップＳ７０３肯定）、ユーザ管理ＤＢ１８５に登録されている全ユーザを対象ユーザに決定する（ステップＳ７０４）。一方、小セル情報送信制御部１８３は、ゲストユーザを許可していないと判定した場合（ステップＳ７０３否定）、小セル管理ＤＢ１８４から受け取った小セル情報に含まれているユーザＩＤに対応するユーザのみを対象ユーザに決定する（ステップＳ７０５）。そして、小セル情報送信制御部１８３は、ステップＳ７０４又はステップＳ７０５で決定した対象ユーザについてのユーザ情報の取得要求をユーザ管理ＤＢ１８５へ送出する（ステップＳ８０３）。ユーザ管理ＤＢ１８５は、取得要求が示す対象ユーザについてのユーザ情報を小セル情報送信制御部１８３へ送出する（ステップＳ８０４）。
【０１３８】
そして、小セル情報送信制御部１８３は、対象ユーザに対応するユーザ情報を受け取ると、各対象ユーザについてステップＳ７０６からステップＳ７０９の処理を繰り返す。すなわち、小セル情報送信制御部１８３は、１つの対象ユーザと、端末１１０との離間距離を算出する（ステップＳ７０６）。そして、小セル情報送信制御部１８３は、算出した離間距離がセル半径以下であるか否かを判定する（ステップＳ７０７）。ここで用いられるセル半径は、端末１１０が近傍に設置された基地局１５０に対応する小セルＣ１５０のセル半径である。そして、小セル情報送信制御部１８３は、算出した離間距離がセル半径以下の場合（ステップＳ７０７肯定）、その１つの対象ユーザを送信対象ユーザに決定する（ステップＳ７０８）。一方、小セル情報送信制御部１８３は、算出した離間距離がセル半径より大きい場合（ステップＳ７０７否定）、その１つの対象ユーザを送信対象ユーザとしないことを決定する（ステップＳ７０９）。
【０１３９】
そして、小セル情報送信制御部１８３は、送信対象ユーザである端末１２０に対して往診する小セル情報を形成する（ステップＳ７１０）。
【０１４０】
そして、小セル情報送信制御部１８３は、送信対象ユーザである端末１２０に対して、形成した小セル情報を送信する（ステップＳ７１１，ステップＳ８０５）。図３５は、送信対象ユーザへ送られる小セル情報のフォーマットの一例を示す図である。
【０１４１】
そして、小セル情報を受け取った各端末１２０は、例えば、図９に示した手順を実行する。
【０１４２】
以上のように本実施例によれば、制御装置１７０においてネットワークＩＦ７１は、マクロセルＣ１３０及び小セルＣ１５０の両方に在圏する端末１１０の位置情報と、マクロセルＣ１３０に在圏する端末１２０の位置情報とを取得する。そして、制御部１７２は、端末１１０の位置情報と、端末１２０の位置情報とに基づいて、小セルＣ１５０に対応するエリアを含む周辺エリアに在圏する端末１２０を特定する。そして、制御部１７２は、特定した端末１２０に対して、小セルＣ１５０についてのセルサーチを開始させる制御信号を、マクロセルＣ１３０を介して通知する。
【０１４３】
この制御装置１７０の構成により、小セルＣ１５０の近傍に位置する端末１２０に対してのみセルサーチを開始させることができるので、端末１２０の消費電力を削減することができる。
【０１４４】
［他の実施例］
実施例１及び実施例２で図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１４５】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしてもよい。
【０１４６】
実施例１及び実施例２の端末、基地局、及び制御装置は、例えば、次のようなハードウェア構成により実現することができる。
【０１４７】
図３６は、端末のハードウェア構成例を示す図である。図３６に示すように、端末２００は、ＲＦ（Radio  Frequency）回路２０１と、プロセッサ２０２と、メモリ２０３とを有する。
【０１４８】
プロセッサ２０２の一例としては、ＣＰＵ（Central  Processing  Unit）、ＤＳＰ（Digital  Signal  Processor）、ＦＰＧＡ（Field  Programmable  Gate  Array）等が挙げられる。また、メモリ２０３の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。なお、実施例１の場合には、端末１０及び端末２０のそれぞれが、図３６に示すようなハードウェア構成を有し、実施例２の場合には、端末１１０及び端末１２０のそれぞれが、図３６に示すようなハードウェア構成を有する。
【０１４９】
そして、実施例１及び実施例２の端末で行われる各種処理機能は、不揮発性記憶媒体などの各種メモリに格納されたプログラムを増幅装置が備えるプロセッサで実行することによって実現してもよい。すなわち、信号処理部１２，２２と、制御部１３，２３，１１３，１２３と、ＧＰＳ処理部１４，２４とによって実行される各処理に対応するプログラムがメモリ２０３に記録され、各プログラムがプロセッサ２０２で実行されてもよい。また、信号処理部１２，２２と、制御部１３，２３，１１３，１２３と、ＧＰＳ処理部１４，２４とによって実行される各処理は、ベースバンドＣＰＵ及びアプリケーションＣＰＵ等の複数のプロセッサによって分担されて実行されてもよい。また、無線部１１，２１は、ＲＦ回路２０１によって実現される。
【０１５０】
図３７は、基地局のハードウェア構成例を示す図である。図３７に示すように、基地局３００は、ＲＦ回路３０１と、プロセッサ３０２と、メモリ３０３と、ネットワークＩＦ（Inter  Face）３０４とを有する。プロセッサ３０２の一例としては、ＣＰＵ、ＤＳＰ、ＦＰＧＡ等が挙げられる。また、メモリ３０３の一例としては、ＳＤＲＡＭ等のＲＡＭ、ＲＯＭ、フラッシュメモリ等が挙げられる。なお、実施例１の場合には、基地局３０及び基地局５０のそれぞれが、図３７に示すようなハードウェア構成を有し、実施例２の場合には、基地局１３０及び基地局１５０のそれぞれが、図３７に示すようなハードウェア構成を有する。
【０１５１】
そして、実施例１及び実施例２の基地局で行われる各種処理機能は、不揮発性記憶媒体などの各種メモリに格納されたプログラムを増幅装置が備えるプロセッサで実行することによって実現してもよい。すなわち、信号処理部３２，５２と、制御部３３，５３，１５３とによって実行される各処理に対応するプログラムがメモリ３０３に記録され、各プログラムがプロセッサ３０２で実行されてもよい。また、ネットワークＩＦ３４，５４は、ネットワークＩＦ３０４によって実現される。また、無線部３１，５１は、ＲＦ回路３０１によって実現される。
【０１５２】
なお、ここでは、基地局３００が一体の装置であるものとして説明したが、これに限定されない。例えば、基地局３００は、無線装置と基地局制御装置という２つの別体の装置によって構成されてもよい。この場合、例えば、ＲＦ回路３０１は無線装置に配設され、プロセッサ３０２と、メモリ３０３と、ネットワークＩＦ３０４とは基地局制御装置に配設される。
【０１５３】
図３８は、制御装置のハードウェア構成例を示す図である。図３８に示すように、ネットワーク装置４００は、プロセッサ４０１と、ネットワークＩＦ４０２と、メモリ４０３とを有する。プロセッサ４０１の一例としては、ＣＰＵ、ＤＳＰ、ＦＰＧＡ等が挙げられる。また、メモリ４０３の一例としては、ＳＤＲＡＭ等のＲＡＭ、ＲＯＭ、フラッシュメモリ等が挙げられる。
【０１５４】
そして、実施例１及び実施例２の制御装置で行われる各種処理機能は、不揮発性記憶媒体などの各種メモリに格納されたプログラムを増幅装置が備えるプロセッサで実行することによって実現してもよい。すなわち、制御部７２，１７２によって実行される各処理に対応するプログラムがメモリ４０３に記録され、各プログラムがプロセッサ４０１で実行されてもよい。また、ネットワークＩＦ７１は、ネットワークＩＦ４０２によって実現される。また、記憶部１７３は、メモリ４０３に対応する。
【符号の説明】
【０１５５】
１，２  通信システム
１０，２０，１１０，１２０  端末
１１，２１，３１，５１  無線部
１２，２２，３２，５２  信号処理部
１３，２３，３３，５３，７２，１１３，１２３，１５３，１７２  制御部
１４，２４  ＧＰＳ処理部
１５  検出部
１６，２５  報告部
２６，１２７  セルサーチ部
３０，５０，１３０，１５０  基地局
３４，５４，７１  ネットワークＩＦ
７０，１７０  制御装置
７３  特定部
７４  推定部
７５  通知部
１１４，１２４  アプリケーション部
１１５，１２５  位置情報送信制御部
１１６，１２６  ユーザ登録部
１１７  小セル情報登録部
１１８  小セル情報送信要求部
１５５  小セル登録部
１７３  記憶部
１８１  小セル管理部
１８２  ユーザ管理部
１８３  小セル情報送信制御部
１８４  小セル管理ＤＢ
１８５  ユーザ管理ＤＢ
【図１】
2014230220.tif 000003
【図２】
2014230220.tif 000004
【図３】
2014230220.tif 000005
【図４】
2014230220.tif 000006
【図５】
2014230220.tif 000007
【図６】
2014230220.tif 000008
【図７】
2014230220.tif 000009
【図８】
2014230220.tif 000010
【図９】
2014230220.tif 000011
【図１０】
2014230220.tif 000012
【図１１】
2014230220.tif 000013
【図１２】
2014230220.tif 000014
【図１３】
2014230220.tif 000015
【図１４】
2014230220.tif 000016
【図１５】
2014230220.tif 000017
【図１６】
2014230220.tif 000018
【図１７】
2014230220.tif 000019
【図１８】
2014230220.tif 000020
【図１９】
2014230220.tif 000021
【図２０】
2014230220.tif 000022
【図２１】
2014230220.tif 000023
【図２２】
2014230220.tif 000024
【図２３】
2014230220.tif 000025
【図２４】
2014230220.tif 000026
【図２５】
2014230220.tif 000027
【図２６】
2014230220.tif 000028
【図２７】
2014230220.tif 000029
【図２８】
2014230220.tif 000030
【図２９】
2014230220.tif 000031
【図３０】
2014230220.tif 000032
【図３１】
2014230220.tif 000033
【図３２】
2014230220.tif 000034
【図３３】
2014230220.tif 000035
【図３４】
2014230220.tif 000036
【図３５】
2014230220.tif 000037
【図３６】
2014230220.tif 000038
【図３７】
2014230220.tif 000039
【図３８】
2014230220.tif 000040